(57)【要約】【課題】ＨＤＭＩ伝送路で接続されたソース装置とシンク装置からなる信号伝送システムにおいて、ソース装置からシンク装置に映像・音声以外の付加データを伝送する場合、データ受信のたびにＣＰＵ処理が介在し処理負荷が増大する。【解決手段】ソース装置１０は映像の垂直同期信号のタイミングに合わせ、付加データをパケットデータとして分割しＨＤＭＩ伝送路３０に送出する。シンク装置２０はＨＤＭＩ伝送路３０から入力されたパケットデータを、映像の垂直同期信号のタイミングに合わせ、パケットデータをパケットデータ処理部２５に取り込む。パケットデータ処理部２５でパケットデータから付加データを再構成する。映像の垂直同期信号のタイミングでパケットデータの送出、受信を行うのでＣＰＵに大きな処理負荷をかけずに大容量データを伝送することが可能となる。【選択図】図１
2011160181.tif 000002
【特許請求の範囲】
【請求項１】
伝送路と、前記伝送路に接続され、前記伝送路上に映像データと付加データを送信するソース装置と、前記伝送路から前記映像データと前記付加データを受信するシンク装置とを備える信号伝送システムであり、
前記ソース装置は、
前記付加データを分割し二つ以上のパケットデータを生成して前記ソース装置内で使用する映像垂直同期信号の時間間隔に合わせて前記パケットデータを前記伝送路に順番に送信し、
前記シンク装置は、
前記パケットデータを、前記シンク装置内で再生した映像垂直同期信号の時間間隔に合わせ順に読み出し、繋ぎ合わせることで前記付加データを再生することを特徴とする信号伝送システム。
【請求項２】
前記ソース装置が付加データの伝送を開始する際、パケットデータの伝送に先立ち、パケットデータの伝送開始を示す特殊パケットデータを送信した後、前記ソース装置内で使用する映像垂直同期信号の間隔に合わせて前記パケットデータを前記伝送路に順番に送信し、
前記シンク装置は、前記特殊パケットデータを受信することで付加データの伝送が開始されることを検出し、前記シンク装置内で再生した映像垂直同期信号の間隔に合わせ順に読み出すことを特徴とする請求項１記載の信号伝送システム。
【請求項３】
前記ソース装置が、パケットデータにパケットデータの順番を示すシーケンス番号を付加し、
前記シンク装置が、前記シーケンス番号を確認、パケットデータを正しい順番で受信していることを確認することを特徴とする請求項１記載の信号伝送システム。
【請求項４】
前記シンク装置が、パケットデータを正しい順番で受信していないことを指定回数以上検出した場合、前記パケットデータを読み出すタイミングを既定の時間だけ遅らせることを特徴とする請求項３記載の信号伝送システム。
【請求項５】
伝送路から映像データと付加データを受信するシンク装置と、前記伝送路を介して接続し、前記伝送路上に前記映像データと前記付加データを送信するソース装置であり、
前記ソース装置は、
前記付加データを分割し二つ以上のパケットデータを生成して前記ソース装置内で使用する映像垂直同期信号の時間間隔に合わせて前記パケットデータを前記伝送路に順番に送信することを特徴とするソース装置。
【請求項６】
伝送路上に映像データと付加データを送信するソース装置と前記伝送路を介して接続し、前記映像データと前記付加データを受信するシンク装置であり、
前記シンク装置は、
前記パケットデータを、前記シンク装置内で再生した映像垂直同期信号の時間間隔に合わせ順に読み出し、繋ぎ合わせることで前記付加データを再生することを特徴とするシンク装置。
【請求項７】
伝送路と、前記伝送路に接続され、前記伝送路上に映像データと付加データを送信するソース装置と、前記伝送路から前記映像データと前記付加データを受信するシンク装置とを備える信号伝送システムにおいて用いられる信号伝送方法であり、
前記ソース装置が、前記付加データを分割し二つ以上のパケットデータを生成するパケットデータ生成ステップと、前記ソース装置内で使用する映像垂直同期信号の時間間隔に合
わせて前記パケットデータを前記伝送路に順番に送信する、パケットデータ送信ステップを備え、
前記シンク装置が、前記パケットデータを、前記シンク装置内で再生した映像垂直同期信号の時間間隔に合わせ順に読み出すパケットデータ読出しステップと、読み出したパケットデータを繋ぎ合わせることで前記付加データを再生する付加データ再生ステップを有することを特徴とする信号伝送方法。
【請求項８】
伝送路と、前記伝送路に接続され、前記伝送路上に映像データと付加データを送信するソース装置と、前記伝送路から前記映像データと前記音声データと前記付加データを受信するシンク装置とを備える信号伝送システムにおいて前記ソース装置において用いられるコンピュータプログラムであり、
前記コンピュータプログラムは、
前記ソース装置が、前記付加データを分割し二つ以上のパケットデータを生成するパケットデータ生成ステップと、前記ソース装置内で使用する映像垂直同期信号の時間間隔に合わせて前記パケットデータを前記伝送路に順番に送信する、パケットデータ送信ステップを備えることを特徴とするコンピュータプログラム。
【請求項９】
伝送路と、前記伝送路に接続され、前記伝送路上に映像データと付加データを送信するソース装置と、前記伝送路から前記映像データと前記音声データと前記付加データを受信するシンク装置とを備える信号伝送システムにおいて前記シンク装置において用いられるコンピュータプログラムであり、
前記コンピュータプログラムは、
前記シンク装置が、前記パケットデータを、前記シンク装置内で再生した映像垂直同期信号の時間間隔に合わせ順に読み出すパケットデータ読出しステップと、読み出したパケットデータを繋ぎ合わせることで前記付加データを再生する付加データ再生ステップを備えることを特徴とするコンピュータプログラム。
【請求項１０】
伝送路と、前記伝送路に接続され、前記伝送路上に映像データと付加データを送信するソース装置と、前記伝送路から前記映像データと前記付加データを受信するシンク装置とを備える信号伝送システムにおいて前記ソース装置に含まれる集積回路であり、
前記集積回路は、
前記ソース装置が、前記付加データを分割し二つ以上のパケットデータを生成するパケットデータ生成ステップと、前記ソース装置内で使用する映像垂直同期信号の時間間隔に合わせて前記パケットデータを前記伝送路に順番に送信する、パケットデータ送信ステップを含む処理を実行することを特徴とする集積回路。
【請求項１１】
伝送路と、前記伝送路に接続され、前記伝送路上に映像データと付加データを送信するソース装置と、前記伝送路から前記映像データと前記付加データを受信するシンク装置とを備える信号伝送システムにおいて前記シンク装置に含まれる集積回路であり、
前記集積回路は、
前記ソース装置が前記付加データを分割して二つ以上のパケットデータとし前記シンク装置へ送信した場合に、前記シンク装置が前記パケットデータを前記シンク装置内で再生した映像垂直同期信号の時間間隔に合わせて順に読み出すパケットデータ読出しステップと、読み出した前記パケットデータを繋ぎ合わせることで前記付加データを再生する付加データ再生ステップを含む処理を実行することを特徴とする集積回路。
【発明の詳細な説明】
【技術分野】
【０００１】
本発明はデジタルインターフェースを介し接続されたソース装置とシンク装置からなる信号伝送システムにおける、信号伝送システムおよびソース装置、シンク装置に関するものである。
【背景技術】
【０００２】
マルチメディアインターフェイスのひとつとして、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）がある。ＨＤＭＩにおいては、映像データ、音声データおよび映像・音声以外の情報である付加データをソース装置からシンク装置の一方向に伝送するＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）伝送路と、制御コマンドを双方向に伝送するＣＥＣ（Ｃｏｎｓｕｍｅｒ  Ｅｌｅｃｔｒｏｎｉｃｓ  Ｃｏｎｔｒｏｌ）伝送路とにおける通信仕様が規格化されている。（例えば、非特許文献１を参照）。
【０００３】
ＨＤＭＩ伝送路を用いて映像データ、音声データ以外のデータを伝送する場合、ＣＥＣ伝送路を用いる方法がある。しかしながらＣＥＣ伝送路を用いた場合、データの伝送レートは約４００ｂｐｓと低速であるため、大容量データの伝送には向いていない。
【０００４】
そこで、従来技術として、大容量データの伝送を行うために、上記ＣＥＣ伝送路とＴＭＤＳ伝送路の双方を用いる方法が提案されている（例えば、特許文献１を参照）。
【０００５】
この方法によると、ソース装置が出力可能な映像コンテンツのコンテンツリストのデータをＣＥＣ伝送路上で送信し、大容量データであるコンテンツリストのインデックス映像データを付加データとしてＴＭＤＳ伝送路上で伝送することで、ソース装置から伝送する映像コンテンツを選択制御できる。
【先行技術文献】
【非特許文献】
【０００６】
【非特許文献１】Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．３ａ
【特許文献】
【０００７】
【特許文献１】特許第４１７２４９８号公報
【発明の概要】
【発明が解決しようとする課題】
【０００８】
しかしながら、上記従来の技術では、ブランキング期間に用意されたデータアイランドの区間に付加データ（サムネイル映像のデータ）を配置し受信側に送出する形をとっている。
【０００９】
従って、付加データをシンク装置が受け取るたびに、付加データの受信をシンク装置内のＣＰＵに通知し、ＣＰＵが読出しの処理を行う構成となる。そのため、ブランキング期間発生のたびにＣＰＵでの処理が必要となり、付加データの受信処理を行うためにＣＰＵの処理負荷が増大してしまうという課題を有していた。
【００１０】
本発明は、従来の問題を解決するためになされたもので、ソース装置とシンク装置とが
ＨＤＭＩ伝送路で接続された信号伝送システムにおいて、ソース装置からシンク装置に映像・音声データ以外のデータである付加データを伝送する際に、ソース装置とシンク装置での処理負荷が少ない状態で、効率的に大容量のデータ伝送を行うことを目的とする。
【課題を解決するための手段】
【００１１】
上記目的を達成するために本発明は、伝送路と、前記伝送路に接続され、前記伝送路上に映像データと付加データを送信するソース装置と、前記伝送路から前記映像データと前記付加データを受信するシンク装置とを備える信号伝送システムにおいて、前記ソース装置が、前記付加データを分割し二つ以上のパケットデータを生成、前記ソース装置内で使用する映像垂直同期信号の時間間隔に合わせて前記パケットデータを前記伝送路に順番に送信し、前記シンク装置が、前記パケットデータを、前記シンク装置内で再生した映像垂直同期信号の時間間隔に合わせ順に読み出し、繋ぎ合わせることで前記付加データを再生するという構成を有する。
【発明の効果】
【００１２】
本発明によれば、ソース装置が映像の垂直同期信号のタイミングに合わせ、付加データをパケットデータに分割しＨＤＭＩ伝送路に送出、シンク装置は受信したパケットデータを、映像の垂直同期信号のタイミングに合わせパケットデータ処理部に取り込み、パケットデータ処理部で付加データを再構成する。映像の垂直同期信号のタイミングでパケットデータの送出、受信が行われるのでＣＰＵに大きな処理負荷をかけることなく大容量データを伝送することができる効果を奏する。
【図面の簡単な説明】
【００１３】
【図１】本発明の実施の形態における信号伝送システムのブロック図
【図２】本発明の実施の形態におけるソース装置の動作を示すフローチャート
【図３】ソース装置における信号のタイミングを示す図
【図４】本発明の実施の形態におけるシンク装置の動作を示すフローチャート
【発明を実施するための最良の形態】
【００１４】
以下、本発明の実施の形態における信号伝送システムについて図面を参照しながら説明する。
【００１５】
図１は本発明の実施の形態における信号伝送システムのブロック図である。
【００１６】
図１に示すとおり、本実施の形態の信号伝送システム５０において、ソース装置１０は、シンク装置２０と、ＨＤＭＩ伝送路３０を介し接続される。
【００１７】
ソース装置１０は、ソース装置制御部１１と、ＨＤＭＩ信号多重・送信部１２と、映像データ格納部１３と、音声データ格納部１４と、パケットデータ格納部１５とを備えている。
【００１８】
ソース装置制御部１１は、例えばＣＰＵ、ＲＯＭ及びＲＡＭを含む。ＣＰＵは、ＲＯＭに格納されたコンピュータプログラムを、ＲＡＭを作業領域として使いながら実行する。このようなソース装置制御部１１の具体的な処理については後述するが、ソース装置制御部１１は、大略的に述べると、ＨＤＭＩ信号多重・送信部１２と、映像データ格納部１３と、音声データ格納部１４と、パケットデータ格納部１５との間でそれぞれ通信を行い、映像データ、音声データおよび付加データをＨＤＭＩ信号多重・送信部１２よりＨＤＭＩ伝送路３０に送出するための制御を行う。
【００１９】
ＨＤＭＩ信号多重・送信部１２は、映像データ格納部１３から送出される映像データ、
音声データ格納部１４から送出される音声データ、パケットデータ格納部１５から送出されるパケットデータ、のそれぞれを受信し、これらをＨＤＭＩ規格で定められた規約に則り多重処理してＨＤＭＩ伝送路３０に送出する。
【００２０】
映像データ格納部１３は、映像データを格納しており、ソース装置制御部１１からの指示に基づき映像データをＨＤＭＩ信号多重・送信部１２に送出する。また、シンク装置２０における映像データ処理部２３が連続する映像データを一定時間の間隔で出力するために用いる水平同期信号、垂直同期信号を生成し、ＨＤＭＩ信号多重・送信部１２に送出する。
【００２１】
音声データ格納部１４は、音声データを格納しており、ソース装置制御部１１からの指示に基づき音声データをＨＤＭＩ信号多重・送信部１２に送出する。
【００２２】
映像データ格納部１３および音声データ格納部１４は、ＨＤＭＩの規格にのっとった通信方式を用いて伝送可能な映像データおよび音声データを蓄積するものであれば良く、これら格納部は、図示していない外部機器あるいはソース装置内に設けられたデータ再生装置に接続可能にして、その外部機器やデータ再生装置から取り込んだ各データを格納するように構成されていても良い。
【００２３】
パケットデータ格納部１５は、付加データを分割しヘッダ情報を付与したパケットデータを格納しており、ソース装置制御部１１からの指示に基づきパケットデータをＨＤＭＩ信号多重・送信部１２に送出する。付加データは例えば、音声字幕やチャプター情報などの、伝送中の映像データ、音声データに関連する情報などである。
【００２４】
ソース装置制御部１１、ＨＤＭＩ信号多重・送信部１２、映像データ格納部１３、音声データ格納部１４、パケットデータ格納部１５は、一つの集積回路として構成されていても良い。ただし、映像データ格納部１３、音声データ格納部１４、パケットデータ格納部１５については、一つの集積回路に含めず、映像データ、音声データが入力可能なように各データの出力元に接続された構成にすることも許容される。
【００２５】
シンク装置２０は、ソース装置１０と、ＨＤＭＩ伝送路３０を介し接続される。シンク装置２０は、シンク装置制御部２１と、ＨＤＭＩ信号受信・分離部２２と、映像データ処理部２３と、音声データ処理部２４と、パケットデータ処理部２５と、パケットデータ蓄積部２６と、映像表示部２７と、音声出力部２８とを備えている。
【００２６】
シンク装置制御部２１は、例えばＣＰＵ、ＲＯＭ及びＲＡＭを含む。ＣＰＵは、ＲＯＭに格納されたコンピュータプログラムを、ＲＡＭを作業領域として使いながら実行する。このようなシンク装置制御部２１の具体的な処理については後述するが、シンク装置制御部２１は、大略的に述べると、ＨＤＭＩ信号受信・分離部２２と、映像データ処理部２３と、音声データ処理部２４と、パケットデータ処理部２５と、映像表示部２７と、音声出力部２８との間でそれぞれ通信を行い、ＨＤＭＩ伝送路３０より受信したＨＤＭＩ信号を分離し映像データを映像データ処理部２３に、音声データを音声データ処理部２４に、パケットデータをパケットデータ蓄積部２６を介しパケットデータ処理部２５に、それぞれ送出し、映像表示部２７で映像を表示、音声を音声出力部２８で出力するための制御を行う。
【００２７】
ＨＤＭＩ信号受信・分離部２２は、ＨＤＭＩ伝送路３０より受信したＨＤＭＩ信号を映像データ、音声データ、パケットデータに分離し、映像データを映像データ処理部２３に、音声データを音声データ処理部２４に、パケットデータをパケットデータ蓄積部２６にそれぞれ送出する。
【００２８】
またＨＤＭＩ信号受信・分離部２２は、映像データに加え、映像データ処理部２３にて連続する映像データを一定時間間隔で出力するために用いる水平同期信号、垂直同期信号も映像データ処理部２３に送出する。
【００２９】
映像データ処理部２３は、映像データと水平同期信号と垂直同期信号を受信し、シンク装置制御部２１からの指示により必要に応じて映像データを加工し（例えば、色合い調整など）水平同期信号と垂直同期信号で定められる時間間隔にあわせ、映像データを映像表示部２７に順次送出する。
【００３０】
音声データ処理部２４は、音声データを受信し、シンク装置制御部２１からの指示により必要に応じて音声データを加工し（例えば、音量調整など）順次音声出力部２８に送出する。
【００３１】
パケットデータ処理部２５は、パケットデータ蓄積部２６に一時格納されたパケットデータを読み出し、読み出されたデータからヘッダ情報を取り除いて付加データを再構成し、再構成された付加データの内容に応じた処理を行う。
例えば付加データがチャプター情報であれば、その情報をシンク装置制御部２１に送出し、シンク装置制御部２１が映像データ処理部２３を制御し映像データを加工、チャプター情報表示を重畳し映像表示部２７に送出する。
【００３２】
パケットデータ蓄積部２６は、ＨＤＭＩ信号受信・分離部２２からパケットデータを受信、一時格納し、パケットデータ処理部２５からの指示に基づきパケットデータをパケットデータ処理部２５に送出する。
【００３３】
映像表示部２７は、例えば液晶パネルにより構成され、映像データ処理部２３から映像データを受信し映像を表示する。
【００３４】
音声出力部２８は、例えばスピーカにより構成され、音声データ処理部２４から音声データを受信し、音声を出力する。
【００３５】
シンク装置制御部２１、ＨＤＭＩ信号受信・分離部２２、映像データ処理部２３、音声データ処理部２４、パケットデータ処理部２５、パケットデータ蓄積部２６は、一つの集積回路として構成されていても良い。ただし、映像データ処理部２３、音声データ処理部２４については、一つの集積回路に含めず、映像データ、音声データを処理することが可能な信号処理機能を有した別の装置と各信号処理部が出力する各データの出力先とが接続される構成にすることも許容される。
【００３６】
ＨＤＭＩ伝送路３０は、ソース装置１０とシンク装置２０を接続し、映像データ、音声データ、付加データをソース装置１０からシンク装置２０に伝送する。
【００３７】
以上のように構成された映像音声伝送システムについて、以下にその処理動作を説明する。
【００３８】
まず、本発明の実施の形態におけるソース装置の動作を説明する。図２は本発明の実施の形態におけるソース装置の動作を示すフローチャートである。なお本実施の形態においては、ソース装置１０からシンク装置２０へ一度に送出すべき付加データのデータ量は予め定められているものとする。
【００３９】
まず信号伝送システム５０のシステムを起動（ステップＳ２００）すると、ソース装置
制御部１１は付加データを送出するタイミングになるまで待機する（ステップＳ２０１）。
【００４０】
付加データ送信を開始するタイミング（例えば、付加データがチャプター情報であれば、チャプター情報に対応する映像データが映像データ格納部１３から送出されるタイミング）になった場合（ステップ２０１におけるＹｅｓ）、パケットデータ格納部１５は次に送出すべきパケットデータを準備する（ステップＳ２０２）。次に垂直同期信号を監視し（ステップＳ２０３）、垂直同期信号のレベルがＨｉｇｈからＬｏｗに変化したか否かを判別する（ステップＳ２０４）。
【００４１】
ステップＳ２０４にて、垂直同期信号のレベルがＨｉｇｈからＬｏｗに変化したことを検知すると（ステップＳ２０４におけるＹｅｓ）、ＨＤＭＩ信号多重・送信部１２に対し予め準備したパケットデータを送出する（ステップＳ２０５）。
【００４２】
すると、次にＨＤＭＩ信号多重・送信部１２はＨＤＭＩ伝送路３０にこのパケットデータを送出する（ステップＳ２０６）。
【００４３】
本実施の形態において、ソース装置１０からシンク装置２０へ一度に送出すべき付加データのデータ量は予め定められている。ソース装置制御部１１はソース装置１０からシンク装置２０へ送出すべきパケットデータの全てがソース装置１０から送出されたか否かを判別する（ステップＳ２０７）。
【００４４】
パケットデータ格納部１５において送出すべきパケットデータがまだある場合（ステップＳ２０７のＮｏ）は、次に送出すべきパケットデータを準備し（ステップＳ２０２）、垂直同期信号の監視を再開（Ｓ２０３）、次のパケットデータ送出のタイミングまで待機する。
【００４５】
これらステップＳ２０２からステップＳ２０６の処理が必要に応じて繰り返され（あるいは一度の送出動作によって）、予め定められた付加データのデータ量分のパケットデータの送信が完了したとソース装置制御部１１が判別すれば（ステップＳ２０７のＹｅｓ）、処理動作が終了する（ステップＳ２０８）。
【００４６】
以上図２を用いて説明した本実施の形態におけるソース装置１０の動作について、タイミング図を用いてさらに詳細に説明する。
【００４７】
図３は、ソース装置における信号のタイミングを示す図である。
【００４８】
時刻ｔ０において、パケットデータ格納部１５に対し、付加データの送出開始がソース装置制御部１１により指示される。
【００４９】
パケットデータ格納部１５は垂直同期信号を監視し時刻ｔ１において垂直同期信号がＨｉｇｈからＬｏｗに変化したことを検出し、最初のパケットデータであるＤａｔａ０を時刻ｔ２にＨＤＭＩ信号多重・送信部１２に送出する。
【００５０】
さらにＨＤＭＩ信号多重・送信部１２はＤａｔａ０を時刻ｔ３にＨＤＭＩ伝送路３０に送出する。ｔ１、ｔ２、ｔ３の間の時間差は、各部で処理を実施する際に要する時間による遅延に基づくものである。
【００５１】
時刻ｔ４でパケットデータ格納部１５が再び垂直同期信号がＨｉｇｈからＬｏｗに変化したことを検出すると、次のパケットデータであるＤａｔａ１を時刻ｔ５にＨＤＭＩ信号
多重・送信部１２に送出する。
【００５２】
さらにＨＤＭＩ信号多重・送信部１２はＤａｔａ１を時刻ｔ６にＨＤＭＩ伝送路３０に送出する。ソース装置１０はこの動作を繰り返し、パケットデータを連続でＨＤＭＩ伝送路３０に送出する。
【００５３】
時刻ｔ７でパケットデータ格納部１５が垂直同期信号がＨｉｇｈからＬｏｗに変化したことを検出し、最後のパケットデータであるＤａｔａＮを時刻ｔ８にＨＤＭＩ信号多重・送信部１２に送出する。
【００５４】
さらにＨＤＭＩ信号多重・送信部１２はＤａｔａＮを時刻ｔ９にＨＤＭＩ伝送路３０に送出し、全てのパケットデータの送出処理を完了する。
【００５５】
次に本発明の実施の形態におけるシンク装置の動作について説明する。図４は本発明の実施の形態におけるシンク装置の動作を示すフローチャートである。
【００５６】
まず信号伝送システム５０のシステムを起動（ステップＳ４００）すると、シンク装置制御部２１はソース装置１０からのパケットデータの受信が開始されるまで待機する（ステップＳ４０１）。
【００５７】
シンク装置２０がパケットデータの受信を開始、すなわちＨＤＭＩ信号受信・分離部２２がパケットデータを受信しパケットデータ蓄積部２６に送出、パケットデータ蓄積部２６が最初のパケットデータを受信したことをパケットデータ処理部２５が検出すると（ステップＳ４０１におけるＹｅｓ）、パケットデータ処理部２５は最初のパケットデータをパケットデータ蓄積部２６から受信する（ステップＳ４０２）。
【００５８】
さらにＨＤＭＩ信号受信・分離部２２から出力される垂直同期信号の監視を開始する（ステップＳ４０３）。垂直同期信号のレベルがＨｉｇｈからＬｏｗに変化したことを検知すると（ステップＳ４０４におけるＹｅｓ）、パケットデータ蓄積部２６に蓄積された次のパケットデータを読み出す（ステップＳ４０５）。
【００５９】
受信すべきパケットデータがまだある場合は（ステップＳ４０６におけるＮｏ）、ＨＤＭＩ信号受信・分離部２２で次のパケットデータを受信しパケットデータ蓄積部２６に送出し（ステップＳ４０７）、さらにパケットデータ処理部２５は垂直同期信号の監視を再開（Ｓ４０３）、次のパケットデータ受信タイミングまで待機する。全てのパケットデータの受信が完了すれば（ステップＳ４０６のＹｅｓ）、処理を終了する（ステップＳ４０８）。
【００６０】
パケットデータ処理部２５においては受信したパケットデータからヘッダ情報を取り除き付加データを再構成し、付加データの内容に応じた処理を行う。
【００６１】
以上のように本実施の形態によれば、ソース装置が垂直同期信号のタイミングに合わせ、付加データから生成したパケットデータを送出し、パケットデータを受信するシンク装置は受信した垂直同期信号のタイミングに合わせてパケットデータを順に受信して読み出し繋ぎ合わせることで付加データを再生することで、大容量の付加データをソース装置からシンク装置に伝送することができる。
データ伝送時の処理においては、ソース装置側では垂直同期信号のタイミングにあわせパケットデータを順番に出力し、シンク装置側では垂直同期信号のタイミングに合わせパケットデータの順次読出し処理を行うため、大容量の付加データを複数のパケットデータとして送出／受信する場合においてソース装置制御部／シンク装置制御部での処理を介在さ
せずに伝送を行うことが出来、ソース装置制御部／シンク装置制御部での処理負荷が少ない状態での大容量の付加データの伝送を実現することができる。
【００６２】
なお、本実施の形態において、シンク装置側で最初のパケットの検出を行うためにパケットデータ蓄積部の状態を常に監視する構成としたが、必ずしもこれに従う必要はない。
【００６３】
例えばＨＤＭＩ規格において定義されるＣＥＣコマンドを用い、付加データの送信開始をソース装置からシンク装置に通知してもよい。パケットデータ蓄積部の状態を常に監視する構成であればシンク装置制御部における処理負荷を軽減することができるが、ＣＥＣコマンドを用い付加データの送信開始を通知することでパケットデータ蓄積部の監視による処理負荷を軽減することができる。
【００６４】
また、本実施の形態において垂直同期信号を切替タイミングとして使用しパケットデータの連続送受信を行うものとしたが、必ずしもこれに限定されるものではない。
例えば映像の水平同期信号を用いたり、音声データに含まれる同期信号を用いても同様に実現可能である。
【００６５】
また、本実施の形態においては伝送すべきパケットデータのデータ量は予め定められているものとしたが、この形態に限定されるものではない。
【００６６】
例えばＣＥＣコマンドを用いて、伝送開始時などのタイミングに、次に伝送するパケットデータの合計数を通知する、もしくは最初のパケットデータに、引き続き伝送するパケットデータの合計数を書き込む場所を準備しソース装置側で書き込み、シンク装置側でこれを読み出すことで通知する、などの方法を用いてもよい。
【００６７】
パケットデータのデータ量を予め定めておく場合、シンク装置２０側でデータ量に合わせ処理内容を変更する必要がなく処理を簡略化できるが、パケットデータの合計数を通知することで各種の付加データを伝送することができ、汎用性を向上する面において有利になる。
【００６８】
また、本実施の形態においてはパケットデータの内容については言及しなかったが、パケットデータの一部、例えばヘッダ部分にパケットデータの順序を示すシーケンス番号を付与しても良い。
【００６９】
シーケンス番号を付与しない場合、パケットデータの受信ミスが発生しなければより効率的に付加データを伝送できるが、シーケンス番号を付与することで、シンク装置側としてパケットデータの受信ミスを検出することが可能になる。
【００７０】
また本実施の形態においてはソース装置はパケットデータをひとつづつ順番に送出するものとしたがこれに従う必要はない。
【００７１】
例えばソース装置側は最初のパケットデータについては２つ以上連続で送信することにより、シンク装置側で最初のパケットデータを受信してから２つ目以降のパケットデータを受信するまでに、パケットデータ処理部の設定などのために時間が必要な場合でもこの必要な時間を確保できるため、正しく受信することができる。
【００７２】
この場合、最初のパケットデータと２つ目以降のパケットデータについて区別する手段が必要であるが、前出のシーケンス番号を付与するか、特殊データを含むパケットデータ（例えば、データが全て０ｘＦＦであるパケットデータ）を定義することにより実現できる。
【００７３】
また本実施の形態においては垂直同期信号がＨｉｇｈからＬｏｗに変化したときにパケットデータ蓄積部からパケットデータ処理部にパケットデータを送出するものとしたが、これに限定されるものではない。
【００７４】
また、パケットデータ蓄積部がＨＤＭＩ信号受信・分離部から次のパケットデータを受信するタイミングと、パケットデータ処理部に送出するタイミングが非常に近い場合、パケットデータ蓄積部が次のパケットデータを受信する前に、直前のパケットデータを送出してしまうなど、パケットデータ処理部がパケットデータを正しい順に受け取れない場合が発生することも考えられる。
【００７５】
これを防ぐために、パケットデータに前出のシーケンス番号を付与し、パケットデータ処理部２５でパケットデータのシーケンス番号を確認させることで、パケットデータが正しい順番で受信できているか否かを確認させ、パケットデータをシーケンス番号どおりに受信できていない場合、すなわち、パケットデータ処理部２５が上述の確認動作を繰り返して、パケットデータが正しい順番で受信できていないことをあらかじめ設定した指定回数検出した場合は、パケットデータ蓄積部が次のパケットデータを受信するタイミングとパケットデータ処理部に送出するタイミングとが近いことをシンク装置制御部に判断させ、パケットデータ処理部がパケットデータを読み出すタイミングを既定の時間だけ遅らせるようにシンク装置制御部がパケットデータ処理部を制御すれば正しい順にパケットデータを受け取ることができ、パケットデータ伝送の信頼性が向上する。
【００７６】
以上、本発明を詳細に説明したが、上記説明はあらゆる意味において例示的なものであり限定的なものではない。本発明の範囲から逸脱することなしに多くの他の改変及び変形例が可能であることが理解される。
【産業上の利用可能性】
【００７７】
以上のように本発明に係る映像音声伝送システムは、ＨＤＭＩ伝送路を用い、ソース装置からシンク装置に大容量の付加データを伝送するシステムに好適である。
【符号の説明】
【００７８】
１０  ソース装置
１１  ソース装置制御部
１２  ＨＤＭＩ信号多重・送信部
１３  映像データ格納部
１４  音声データ格納部
１５  パケットデータ格納部
２０  シンク装置
２１  シンク装置制御部
２２  ＨＤＭＩ信号受信・分離部
２３  映像データ処理部
２４  音声データ処理部
２５  パケットデータ処理部
２６  パケットデータ蓄積部
２７  映像表示部
２８  音声出力部
３０  ＨＤＭＩ伝送路
５０  信号伝送システム
【図１】
2011160181.tif 000003
【図２】
2011160181.tif 000004
【図３】
2011160181.tif 000005
【図４】
2011160181.tif 000006